(57)【要約】【目的】一時的にペットの動きを阻止するのに役立つような胴輪を提供する。【構成】端部同士を接続可能な接続具（１５）を有する紐（１１）と、少なくとも２本の紐を交差させずに通過させる連結部（１２）からなり、その連結部の前後で首輪部（１３）と胴輪部（１４）を形成している。前記連結部（１２）は取っ手である。前記連結部（１２）は、下面に波状凹凸（２１）が付けられていること、中央に下半分を切り開いた切り欠き（１８）が設けられていて、この切り欠きに、Ｏリング又はＤリング（１９）が取り付けられていることが好ましい。【選択図】  図１
2005006611.tif 000002
【特許請求の範囲】
【請求項１】
端部同士を接続可能な接続具（１５）を有する紐（１１）と、少なくとも２本の紐を通過させる連結部（１２）からなり、その連結部の前後で首輪部（１３）と胴輪部（１４）を形成するものであって、前記連結部（１２）が取っ手となっていることを特徴とする胴輪。
【請求項２】
前記連結部（１２）内で少なくとも２本の紐が互いに交差せずに通過している請求項１記載の胴輪。
【請求項３】
前記連結部（１２）の中央に下半分を切り開いた切り欠き（１８）が設けられていて、この切り欠きに、リング（１９）が取り付けられている請求項１又は２記載の胴輪。
【請求項４】
前記連結部（１２）の下面に凹凸（２１）が付けられている請求項１ないし３のいずれかに記載の胴輪。
【請求項５】
前記連結部（１２）をスライドさせることにより、首輪部（１３）と胴輪部（１４）の相対的な大きさが自由に変えられる請求項１ないし４の何れかに記載の胴輪。
【発明の詳細な説明】
【０００１】
【発明の属する技術分野】
本発明は、犬などのペットを散歩させたり、抱きかかえたり、つなぎ止めたりするときに使用する胴輪に関する。
【０００２】
【従来の技術】
胴輪に関する発明としては、例えば下記特許文献１及び２のような技術が公知である。いずれも、１本の胴輪用紐を途中で８の字型に交差させてなり、その交差部分に連結部を設けている。そして、８の字の一方の環を首輪部として、他方を胴輪部として使用している。
【０００３】
【特許文献１】特許第３３８７０１９号公報
【特許文献２】特開２００２−３６０１０２公報
【０００４】
【発明が解決しようとする課題】
犬を散歩させているときに、何かに驚いて、急に逃げ出そうとしたり、他の人や動物に飛びかかろうとしたりすることがある。そのようなときは、犬を押さえて落ち着かせることが大切である。
【０００５】
また、犬を抱きかかえるとき、胴に手を回して引き寄せるのが普通であるが、ときとして、犬は嫌がって逃げ出そうとすることがあり、そのため事故にあったり、付近の器物を損壊したりすることがある。そのようなとき、犬の動きを一時的に阻止することが出来れば突発事故を防ぐことができる。
【０００６】
また、そのような緊急時でなくても、例えば散歩に行くために手綱を付けようとするときや、散歩から帰った室内犬の足を洗うときなど、犬の動きを一時的に阻止するものがあれば好都合である。
【０００７】
しかし、従来の胴輪はそのような場合に役に立つようなものではなかった。そこで、本発明では一時的にペットの動きを阻止するのに役立つような胴輪を提供することを目的とする。
【０００８】
【課題を解決するための手段】
本発明は、端部同士を接続可能な接続具を有する紐と、少なくとも２本の紐を通過させる連結部からなり、その連結部の前後で首輪部と胴輪部を形成するものであって、前記連結部が取っ手となっていることを特徴とする。
【０００９】
【発明の実施の態様】
前記連結部は飼い主がしっかりと握るための取っ手となるものである。このとき手で握りやすいようにするため下部に波状の凹凸を付けることが好ましい。また、握ったときに手のひらに痛みを感じないようにするために、連結部はシリコンゴムが形成することが好ましい。連結部の長さは５〜１５ｃｍ程度、特に８ｃｍ前後で直線状となっていることが好ましいが、多少の湾曲があってもよい。
【００１０】
前記連結部内では、少なくとも２本の紐が互いに交差せずに通過しているものとすることが好ましい。また、紐と連結部は固定せず、連結部通路内を紐が移動可能とすることが好ましい。この状態において、連結部をスライドさせることにより、首輪部と胴輪部の相対的な大きさは自由に変えられる。
【００１１】
前記連結部の中央には、下半分を切り開いた切り欠きを設け、この切り欠きに、リング（例えば、Ｏリング又はＤリング）を取り付けるのが好ましい。このリングに手綱が取り付けられる。
【００１２】
【実施例】
以下、本発明の１実施例に係る胴輪１０を添付の図面に基づき説明する。図１は、犬に取り付けた状態の胴輪１０の斜視図である。図２はその拡大図である。
【００１３】
図１に示すように、本発明の胴輪１０も、従来技術と同様に、１本の胴輪用紐１１の途中を連結部１２でしばって８の字型とし（ただし、交差はさせない）、８の字の一方の環を首輪部１３として、他方を胴輪部１４として使用する。
【００１４】
１本の紐１１の両端は、接続具１５（例えば、バックル）により接続とその解除が自在である。また、紐の長さ調節のためにそれ自体公知の調節具１６が設けられている。図２において、接続具１５のない第１環の方を首輪部１３として使用し、他方（第２環）を胴輪部１４として使用するのが普通であるが、その逆でもよい。
【００１５】
本発明が従来技術と大きく異なるのは連結部１２である。連結部１２は長さが約８ｃｍで、中に通路１７を有する平たい四角柱のような形状である。この通路１７は紐１１が少なくとも２本入るだけの広さを有する。紐１１と通路１７は固定されておらず、しかも紐１１は交差していないので、連結部１２をスライドさせるだけで、第１環、第２環の相対的な大きさを自由に変更することができる。
【００１６】
図２及び図３に示すように、連結部１２の中央には、下半分を切り開いた切り欠き１８が設けられている。この切り欠き１８には、Ｏリング又はＤリング１９が取り付けられていて、このリング１９に手綱２０が取り付けられる。Ｏリング又はＤリング１９を構成する線材は、上下２本の紐１１の間を通過するので切り欠き１８から脱落するようなことはない。
【００１７】
図２及び図３に示すように、連結部の底部（犬との接触面）にはわずかに波状の凹凸２１が付けられている。犬の動きを一時的に阻止する必要があるとき、飼い主は犬と連結部１２の間に手を差し入れて、連結部１２をしっかりと握ることができる（図３参照）。前記波状凹凸２１はこのとき手で握りやすいようにするためのものである。握ったときに手のひらに痛みを感じないようにするために、連結部１２はシリコンゴムが形成することが好ましい。飼い主が連結部１２を握った状態では、犬は体を直接押さえつけられたのも同然であり、自由な動きができなくなる。
【００１８】
【発明の効果】
本発明によれば、犬等のペットが何かに驚いて、急に逃げ出そうとしたり、他の人や動物に飛びかかろうとしたりしたとき、飼い主は犬と胴輪連結部の間に手を差し入れて、連結部をしっかりと握ることにより、ペットを押さえつけることができる。
【００１９】
また、ペットを抱きかかえるとき、散歩に行くために手綱を付けるとき、散歩から帰った室内用ペットの足を洗うときなどにもこの連結部を握って行えば、飼い主とペットの位置が安定するので、ペットに安心感を与え、突発事故を防ぐことができる。
【００２０】
また、紐を交差させる従来の連結部では長さを調節しようとすると、紐を引っぱり出すような作業が必要となるが、本発明によれば、連結部をスライドさせるだけで首輪と胴輪の長さを自由に変更することができる。
【図面の簡単な説明】
【図１】犬に取り付けた状態の胴輪の斜視図である。
【図２】胴輪の拡大図である。
【図３】連結部の拡大図である。
【符号の説明】
１０          胴輪
１１          紐
１２          連結部
１３          首輪部
１４          胴輪部
１５          接続具
１６          調節具
１７          通路
１９          Ｏリング又はＤリング
２０          手綱
２１          凹凸
【図１】
2005006611.tif 000003
【図２】
2005006611.tif 000004
【図３】
2005006611.tif 000005